(57)【要約】【課題】貝殻を利用した人工魚礁において、魚介類にとって好適であって、魚介類の餌料となる微生物や藻類の繁殖を促す人工魚礁を提供し、高い集魚効果を得ること。【解決手段】この人工魚礁は、ほぼ立方体の枠体であるコンクリート躯体１と、表面に複数の貝殻が埋め込まれている上床版２及び中床版３とで構成されている。上床版２及び中床版３は、型枠内に打設したコンクリートが固化する前に、隣合う貝殻がほぼ平行となるように複数の貝殻を所定の深さまで埋め込み、脱型後コンクリート躯体１に設置する。この人工魚礁では、一般に廃棄されるホタテ貝殻等を利用して、複数の貝殻の表面に非常に多くの魚介類の餌料となる微生物や藻類の胞子を付着させるとともに、上床版２又は中床版３の表面と貝殻との間に隙間を形成し、この隙間を小さな魚や稚魚にとって好適な生息場所、避難場所とすることができる。【選択図】　　　図１
2004081058.tif 000002
【特許請求の範囲】
【請求項１】
コンクリートの構造体からなり、海底に沈設される人工魚礁であって、　一部がコンクリート中に埋め込まれてコンクリート部材の表面から突出するように支持された複数の貝殻を有することを特徴とする人工魚礁。
【請求項２】
前記貝殻は、隣合う貝殻がほぼ平行となるように所定の角度で傾斜して配列されていることを特徴とする請求項１に記載の人工魚礁。
【請求項３】
前記貝殻は、その一部をコンクリートに埋め込むことによって固定されていることを特徴とする請求項２に記載の人工魚礁。
【請求項４】
前記貝殻は、前記コンクリートの構造体の外周部から中央部に向かって傾斜していることを特徴とする請求項２又は請求項３に記載の人工魚礁。
【請求項５】
前記貝殻は、前記コンクリート構造物の表面との角度が４５度〜６０度となるように傾斜していることを特徴とする請求項２又は請求項３に記載の人工魚礁。
【請求項６】
前記貝殻は、ホタテ貝殻、カキ殻、アコヤ貝殻を含む大型二枚貝の貝殻であって、凸状面を前記コンクリートの構造体の外周部側に向けて支持されていることを特徴とする請求項１から請求項５までのいずれかに記載の人工魚礁。
【発明の詳細な説明】
【０００１】
【発明の属する技術分野】
本願発明は、魚介類及び魚介類の餌料となる微生物や藻類に生息場所を提供する人工魚礁に関する。
【０００２】
【従来の技術】
人工魚礁は、一般に、廃船、廃車輌又はコンクリートや鋼材からなる構造物等を海底に沈設し、魚介類等に生息場所を提供するものである。近年では、ホタテ貝やカキ等の貝殻を利用した人工魚礁が知られており、この人工魚礁は、貝殻に魚介類が棲みついたり、微生物や藻類の胞子が付着するため、魚介類に好適な生息場所となる。
【０００３】
一方、ホタテ貝やカキ等の産地では、可食部を取り除いた後の貝殻が廃棄物として大量に発生するが、この貝殻の処理を廃棄物業者に依頼するとコストが極めて高くなってしまう。このため、貝殻は漁港や加工工場の付近に積み上げられて放置されていることが多く、この貝殻が腐敗臭を放ったり、場所を占有してしまうことが問題となっている。このような廃棄物である貝殻を人工魚礁に用いることによって、ホタテ貝やカキ等の産地における問題の解決にも寄与することができる。
【０００４】
上記のような貝殻を利用した人工魚礁として、特開平９−１６３８９４号公報、特開平１０−２１０８７８号公報、特開平１０−２１０８７９号公報に記載されているものがある。
特開平９−１６３８９４号公報、特開平１０−２１０８７８号公報に記載されている人工魚礁は、樹脂製又は鋼製の通水性を有する筒状ケース内にホタテ貝殻、カキ殻等の貝殻を充填し、この筒状ケースをコンクリートのベース上に構築した骨組み内に複数配列したものである。また、上記骨組みの上部に天蓋を設け、その上面に溝や窪みを設けて微生物や藻類の胞子が付着し易い状態にする技術も記載されている。
【０００５】
また、特開平１０−２１０８７９号公報には、海底に沈設する構造物の屋根に、細かく砕いた貝殻とミネラルを含む堆積土砂とをセメントと水ガラスとによって凝固させた人造石が多数固定された人工魚礁が記載されている。この人造石に藻類の胞子が植え付けられており、藻類の成長が助長される。
【０００６】
【発明が解決しようとする課題】
しかしながら、上記従来の貝殻を利用した人工魚礁には次のような問題点がある。
特開平１０−２１０８７８号公報や特開平９−１６３８９４号公報に記載の人工魚礁では、貝殻を充填するネットや筒状ケース、又はこのケースが破損しないように補強材が必要となってしまう。また、これらの人工魚礁では、貝殻はネット又は筒状ケース内に密着するように充填されているため、魚介類が貝殻同士の隙間に入り込むことが難しい。このため、魚介類の生息場所や捕食生物からの避難場所としての集魚効果が小さい。また、特開平１０−２１０８７８号公報又は特開平１０−２１０８７９号公報に記載の人工魚礁では、天蓋表面の粗雑面又は人造石に微生物や藻類の胞子が多く付着するが、粗雑面を形成したり、貝殻を細かく砕いて人造石を作製するのに時間及び労力を要し、コストも高くなってしまう。
【０００７】
本願発明は、上記のような事情に鑑みてなされたものであり、貝殻を利用した人工魚礁において、魚介類にとって好適であって、魚介類の餌料となる微生物や藻類の繁殖を促す人工魚礁を提供し、高い集魚効果を得ることを目的とする。
【０００８】
【課題を解決するための手段】
上記課題を解決するために、請求項１に係る発明は、　コンクリートの構造体からなり、海底に沈設される人工魚礁であって、　一部がコンクリート中に埋め込まれてコンクリート部材の表面から突出するように支持された複数の貝殻を有することを特徴とする人工魚礁を提供する。
【０００９】
一般に、魚には休息場や捕食生物から逃れるための隠れ場所として隙間を好む習性がある。上記コンクリート構造体の表面には複数の貝殻が突出しており、貝殻の間が小さな魚や稚魚の隠れ場所となる。また、コンクリート構造体の形状を適切に設定することで、より大きな魚の隠れ場所を提供することもできる。また、貝殻は凹凸を有する形状によって表面積が大きいため、この貝殻の表面に魚介類の餌料となる微生物や藻類の胞子が非常に多く付着する。貝殻は多孔質な構造を有するものであり、これによって微生物や藻類の成長が助長されるため、微生物等が繁殖しやすい。そして、こられの餌料を求めて多くの魚介類が集まってくる。したがって、大きな集魚効果が得られる。
【００１０】
請求項２に係る発明は、　請求項１に記載の人工魚礁において、前記貝殻は、隣合う貝殻がほぼ平行となるように所定の角度で傾斜して配列されているものとする。
【００１１】
貝殻を隣合う貝殻がほぼ平行となるように所定の角度で傾斜させて配列することによって、コンクリート構造体の表面に所定間隔を設けて多数の貝殻を配置することができる。このため、微生物及び藻類の胞子が貝殻の表面に多く付着するとともに、コンクリート構造体の表面と貝殻との間に隙間が形成され、この隙間に魚が集まってくるため、集魚効果が高くなる。また、コンクリート構造体の表面と貝殻との隙間に海流が入り込んで渦流が発生すると、この隙間に微生物や藻類の胞子が滞留しやすくなり、微生物や藻類の胞子が貝殻の表面に効率良く付着する。
【００１２】
請求項３に係る発明は、　請求項２に記載の人工魚礁において、前記貝殻は、その一部をコンクリートに埋め込むことによって固定されているものとする。
【００１３】
上記人工魚礁では、貝殻を粉砕したりせずにそのままの形状で用いることができ、該貝殻の一部をコンクリートに埋め込むことによって、容易かつ安価に貝殻をコンクリート構造体の表面に固定することができる。また、コンクリートの部材寸法を構造体として必要な寸法より厚く形成し、この厚くした部分に貝殻を埋め込んで、この部分をコンクリート構造体の強度には寄与しない部分とみなすことができる。このため、コンクリート構造体に複数の貝殻を埋め込んでも、該コンクリート構造体の強度を維持することができる。
【００１４】
請求項４に係る発明は、　請求項２又は請求項３に記載の人工魚礁において、前記貝殻は、前記コンクリートの構造体の外周部から中央部に向かって傾斜しているものとする。
【００１５】
上記貝殻は、上記コンクリートの構造体の外周部から中央部に向かって傾斜しているため、海流は貝殻の傾斜に沿うように、コンクリートの構造体の外周部からコンクリートの構造体上を通過して流れていく。このため、貝殻に対する海流の流体圧が低減され、海流によって貝殻がコンクリート構造体から剥離されたり、貝殻の突出している部分が破損してしまうのを防止することができる。
【００１６】
請求項５に係る発明は、　請求項２又は請求項３に記載の人工魚礁において、前記貝殻は、前記コンクリート構造物の表面との角度が４５度〜６０度となるように傾斜しているものとする。
【００１７】
上記人工魚礁では、貝殻がコンクリート構造物の表面との角度が４５度〜６０度となるように傾斜しているため、貝殻に対する海流の流体圧を効果的に低減することができる。また、コンクリート構造体の表面と貝殻との間に魚介類にとって好適な隙間が形成されるため、集魚効果が高くなる。
【００１８】
請求項６に係る発明は、　請求項１から請求項５までのいずれかに記載の人工魚礁において、前記貝殻は、ホタテ貝殻、カキ殻、アコヤ貝殻を含む大型二枚貝の貝殻であって、凸状面を前記コンクリートの構造体の外周部側に向けて支持されているものとする。
【００１９】
ホタテ貝殻、カキ殻、アコヤ貝殻等の大型二枚貝の貝殻は、一般に廃棄物となるが、上記人工魚礁ではこのような貝殻を有効に利用することができる。そして、貝殻の表面に微生物や藻類の胞子が多く付着して、貝殻に含有されるカルシウムによってこれらの繁殖が助長されたり、貝殻によって魚の好む隙間が形成されるため、高い集魚効果を得ることができる。また、貝殻は凸状面をコンクリートの構造体の外周部側に向けて支持されているため、貝殻に対する海流の流体圧が低減されるとともに、凸状面の内面付近に微生物等が滞留して貝殻に付着しやすくなる。
【００２０】
【発明の実施の形態】
以下、本願に係る発明の実施の形態を図に基づいて説明する。
図１は、本願発明の一実施形態である人工魚礁を示す概略構成図である。
この人工魚礁は、中空のほぼ立方体の枠体であるコンクリート躯体１と、コンクリート躯体１の上部に支持された複数の上床版２と、コンクリート躯体１の中空部に支持された中床板３とで構成されている。上床版２及び中床版３はコンクリートからなる板状部材であって、上床版２及び中床版３の表面に複数の貝殻４が突出するように埋め込まれている。この貝殻は、ホタテ貝殻、カキ殻、アコヤ貝殻等の大型二枚貝の貝殻であって、魚介類の集荷場や加工工場で可食部が取り出された後の廃棄されるものを利用することができる。
【００２１】
コンクリート躯体１は、図２に示すように、一体となったコンクリートからなる、ほぼ立方体状の枠体であって、コンクリート躯体１の内部は海水が流入・流出しやすいように中空となっている。そして、コンクリート躯体１の垂直な４つの辺１１から、それぞれ対角線上に、コンクリート躯体１の中心部に向かって垂直な壁体１２が張出している。この壁体１２の最も張出している部分には、中床版３を支持するための切り欠き部１２ａが形成されている。また、コンクリート躯体１の上部で水平方向の４辺となる４つの部材１３の内側には、上床版２を支持するための複数の支持凸部１４が形成されている。
【００２２】
上記中床版３は、図３及び図４に示すように、内部に縦横の鉄筋が所定間隔で配置されたコンクリートの板状部材であって、中床版３の表面には、魚介類や藻類の生息場所となる複数の貝殻４が固着されている。また、中床版３を吊り上げる吊り部材５が表面から突出するように設けられ、４つの角部にはそれぞれボルトを挿通するボルト孔６が設けられている。そして、４つの角部には、コンクリート躯体１の壁体１２に形成されている切り欠き部１２ａの形状に合わせて、切り欠き面３ａが形成されている。なお、中床版３表面上の貝殻４の配列については後述する。
【００２３】
上記上床版２は、コンクリートからなる板状部材であって、コンクリート躯体上部の隣合う２つの水平部材によってそれぞれ支持され、中央部に海水や魚介類が通過する開口部２ａを形成するように４枚の上床版２が配置されている。上床版２の表面には、上記中床版３と同様に、貝殻が固着され、吊り部材と、ボルト孔とが設けられている。
【００２４】
次に、上記中床版３の作製方法について説明する。
型枠（図示しない）内に所定間隔で鉄筋７，８を配置し、型枠内にコンクリートを打設する。次に、コンクリートが固化する前に、貝殻４と吊り部材５とをコンクリートに埋め込む。このとき、貝殻４は、図３及び図４に示すように、隣合う貝殻がほぼ平行となるように、中床版３の一組の対向する縁辺３ｂ、３ｃ付近から中央部に向かって所定の角度で傾斜させてほぼ等間隔で配置し、コンクリート内に所定の深さまで埋め込む。なお、中床版３の中央部では、図４及び図５に示すように、対向する貝殻４の先端を突き合わせ、水平面との角度を大きくして埋め込む。また、貝殻４は、貝殻４の凸状面４ａを中床版３の縁辺側に向け、先端を中央部側へ傾斜させて配列する。このように規則的に貝殻を配列することにより、中床版３上に多くの貝殻を埋め込むことができ、これらの貝殻間及び貝殻と中床版３の表面との間に適当な隙間を形成することができる。
なお、貝殻を埋め込む作業は人力で行ない、貝殻を埋め込む深さを一定にするために、貝殻にマーキングを行なっても良い。これにより、精度良く、迅速に作業を行なうことができる。
【００２５】
本実施例では、貝殻４は、相互に接触しないように２５ｍｍ〜３０ｍｍの間隔で、中床版３の表面との角度が４５度〜６０度となるように傾斜して配列されている。また、中床版３の厚さは約９０ｍｍであり、貝殻４は表面から約１６ｍｍ〜２０ｍｍ程度の深さまで埋め込まれている。この中床版３は、貝殻４が埋め込まれている部分を除く、下面から約７０ｍｍを構造体の断面として強度設定されているため、構造体の強度に影響を与えずに貝殻を配置することができる。
【００２６】
中床版３のコンクリートが固化した後、型枠を取り外す。そして、吊り部材５にワイヤー等を係止して中床版３を吊り上げ、コンクリート躯体１の中心部で対向するように設けられている４つの壁体１２の切り欠き部１２ａ上に、中床版３の切り欠き面３ａを合わせて設置する。そして、図５に示すように、中床版３のボルト孔６及びこの位置に合わせて壁体１２に設けられた穴１２ｂにボルト９を挿通し、モルタルを充填・固化させて中床版３を固定する。
なお、コンクリート躯体１は、その形状に従って鉄筋及び型枠を配置し、型枠内にコンクリートを打設したものであり、あらかじめ製作しておくことができる。
【００２７】
一方、上床版２では、中床版３と同様に、型枠内に鉄筋を配置してコンクリートを打設し、コンクリートが固化する前に、貝殻と吊り部材とを埋め込む。このとき、貝殻は、隣合う貝殻がほぼ平行となるように、コンクリート躯体１の外周側から中央部に向かって傾斜させて配列する。そして、コンクリートが固化した後、型枠を取り外し、開口部２ａを形成するようにコンクリート躯体１の上部に４つの上床版２を配置し、支持凸部１４上に固定する。
【００２８】
上床版２及び中床版３が設置されたコンクリート躯体１は、人工魚礁として海底に沈設される。この人工魚礁では、上床版２又は中床版３に埋め込まれている複数の貝殻の表面に、魚介類の餌料となる微生物や藻類の胞子が非常に多く付着するとともに、貝殻に含有されるカルシウムによって微生物等の繁殖が助長される。また、上床版２又は中床版３の表面と貝殻との間に隙間が形成されているため、この隙間が小さな魚や稚魚にとって好適な生息場所、避難場所となる。また、コンクリート躯体１の内側がより大きな魚の生息場所となる。このため、多くの魚介類が餌料や生息場所を求めてこの人工魚礁に集まり増殖する。また、海流が貝殻４の傾斜に沿うように流れるため、貝殻に対する海流の流体圧が低減され、貝殻４は上床版２又は中床版３上に安定した状態で支持される。
【００２９】
図６は、上記中床版３における他の貝殻４の配列を示す図であり、貝殻２２は、中床版２１の４つの縁辺２１ｂ、２１ｃ、２１ｄ、２１ｅから、中央部に向かって傾斜して配列されている。このような配列によっても、中床版２１上に多数の貝殻２２を配置することができ、貝殻に対する海水の流体圧を効果的に減じることができる。
【００３０】
また、図７に示すように、上床版を設けずにコンクリート躯体３１と、中床板３２とで人工魚礁を構成することもできる。中床版３２は、上記人工魚礁が有する中床版３と同様のものが用いられており、中床版３２に埋め込まれている複数の貝殻によって、魚介類にとって好適な生息場所、避難場所となる空間を形成することができる。
【００３１】
図８及び図９は、本願発明の他の実施形態である人工魚礁を示す概略構成図である。
図８に示す人工魚礁は、平面的な枠体及び平板をプレキャストコンクリート部材として製作し、これらをボルト等によって立体的に組み立てたものである。そして、平板状のプレキャストコンクリート部材４１の表面には、貝殻が一部をコンクリート中に埋め込んで固定されている。貝殻４２は、図１に示す人工魚礁と同様に、隣合う貝殻がほぼ平行となるように所定の角度で傾斜して配列されている。この人工魚礁では、貝殻４２が埋め込まれているプレキャストコンクリート部材４１を容易に配置することができ、魚介類に好適な生息場所を提供することができる。
【００３２】
また、図９に示す人工魚礁は、板状部５２と、これを支持する脚部５３とからなるコンクリート部材５１を上方に複数を積み重ねたものである。それぞれの板状部５２は間隔をあけて水平に支持され、各板状部５２の上面には、図１に示す人工魚礁と同様に多数の貝殻５４が一部を埋め込んで固定されている。
この人工魚礁では、貝殻５４が埋め込まれる面積が大きくなり、小さな魚や稚魚の隠れ場所を多く設けることができるとともに、多くの微生物や藻類の繁殖を促すことができる。また、ほぼ水平に支持された複数の板状部５２の間がより大きな魚の隠れ場所となり、効果的な集魚が可能となる。
【００３３】
【発明の効果】
以上説明したように、本願発明の人工魚礁では、コンクリート構造体の表面に複数の貝殻が突出しており、これらの隙間が魚介類にとっての休息場所又は避難場所となり、高い集魚効果が得られる。また、貝殻の表面に魚介類の餌料となる微生物や藻類の胞子が非常に多く付着し、貝殻のカルシウムによって微生物や藻類の繁殖が促される。一方、ホタテ貝殻、カキ殻、アコヤ貝殻等の大型二枚貝の貝殻を用いることによって、廃棄物である貝殻を有効利用することができる。
【図面の簡単な説明】
【図１】本願発明の一実施形態である人工魚礁を示す概略構成図である。
【図２】図１に示す人工魚礁で用いられるコンクリート躯体を示す概略構成図である。
【図３】図１に示す人工魚礁で用いられる中床版を示す概略斜視図である。
【図４】図１に示す人工魚礁で用いられる中床版を示す概略断面図である。
【図５】図１に示す人工魚礁で用いられるコンクリート躯体と中床版との固定部の拡大断面図である。
【図６】図１に示す人工魚礁で用いられる中床版の他の例を示す概略斜視図である。
【図７】図１に示す人工魚礁の他の例を示す概略斜視図である。
【図８】本願発明の他の実施形態である人工魚礁を示す概略斜視図である。
【図９】本願発明の他の実施形態である人工魚礁を示す概略斜視図である。
【符号の説明】
１、３１　　　　　　　コンクリート躯体
２　　　　　　　　　　上床版
３、２１、３２　　　　中床版
４、２２、４２、５４　貝殻
１２　　　　　　　　　壁体
４１、５１　　　　　　コンクリート部材
【図１】
2004081058.tif 000003
【図２】
2004081058.tif 000004
【図３】
2004081058.tif 000005
【図４】
2004081058.tif 000006
【図５】
2004081058.tif 000007
【図６】
2004081058.tif 000008
【図７】
2004081058.tif 000009
【図８】
2004081058.tif 000010
【図９】
2004081058.tif 000011